(57)【要約】      （修正有）【課題】空調装置の室外機周囲の湿度を高め、空調装置の熱効率の向上を図ることができる保護カバーを提供する。【解決手段】保護カバー１００は、室外機の底板２００ｃ近傍に配設され、当該室外機の底板２００ｃ外周を包囲する溝形の貯水手段１０と、室外機の空気排出口２０２を外部に導通させる開口部２１を有し、室外機の側板２００ａに対向する側面に切欠スリット２２を複数形成すると共に、当該切欠スリット２２の開口内に水滴導入の案内片を配設し、当該案内片からの水滴を貯水手段１０に導入する鋼板製の側壁部２０と、を備える。【選択図】図１
0003197622.tif 000002
【実用新案登録請求の範囲】
【請求項１】
空気排出口を天板に有する室外機に取り付ける保護カバーにおいて、
前記室外機の底板近傍に配設され、当該室外機の底板外周を包囲する溝形の貯水手段と、
前記室外機の空気排出口を外部に導通させる開口部を有し、前記室外機の側板に対向する側面に切欠スリットを複数形成すると共に、当該切欠スリットの開口内に水滴導入の案内片を配設し、当該案内片からの水滴を前記貯水手段に導入する鋼板製の側壁部と、
を備えることを特徴とする保護カバー。
【請求項２】
請求項１に記載の保護カバーにおいて、
下端が前記貯水手段の溝内に配設されて前記貯水手段に溜められる水分を吸収し、上端が前記貯水手段の溝外に配設されて水分を発散する加湿手段を備えることを特徴とする保護カバー。
【請求項３】
請求項１又は２に記載の保護カバーにおいて、
前記案内片が、上向きに突出していることを特徴とする保護カバー。
【請求項４】
請求項１乃至３のいずれかに記載の保護カバーにおいて、
前記案内片の根元に貫通孔を備えることを特徴とする保護カバー。
【請求項５】
請求項１乃至４のいずれかに記載の保護カバーにおいて、
前記案内片が、先端から根元に延在する折り目を備えることを特徴とする保護カバー。
【考案の詳細な説明】
【技術分野】
【０００１】
本考案は、空調装置の室外機に取り付ける保護カバーに関する。
【背景技術】
【０００２】
従来の空調装置の室外機の通風遮光ネット装置は、建造物の屋内にあって冷媒の気化熱によって生成した冷気を吹き出す屋内機と、冷媒の凝縮を行う屋外機とを備え、屋内機と屋外機の間で冷媒を循環させる空調装置の前記屋外機に被蓋される通風遮光ネット装置であって、前記屋外機の周囲に組み立てられるフレームと、このフレームに装着されて前記屋外機に被蓋される通風遮光ネットとから成る（例えば、特許文献１参照）。
【先行技術文献】
【特許文献】
【０００３】
【特許文献１】実用新案登録第３１７１９４５号公報
【考案の概要】
【考案が解決しようとする課題】
【０００４】
しかしながら、空調装置の室外機の通風遮光ネット装置は、フレームが鋼棒などの棒体であり、通風遮光ネットが寒冷紗のような通気性を有するネットであるため、通風遮光ネット装置自体の強度が低く、台風などの強風により、崩壊する虞があるという課題がある。
【０００５】
この考案は、上述のような課題を解決するためになされたもので、従来の空調装置の室外機の通風遮光ネット装置と比較して強度が高いうえに、空調装置の室外機周囲の湿度を高め、空調装置（室外機）の熱効率の向上（消費電力の抑制）を図ることができる保護カバーを提供することを目的とする。
【課題を解決するための手段】
【０００６】
この考案に係る保護カバーにおいては、前記室外機の底板近傍に配設され、当該室外機の底板外周を包囲する溝形の貯水手段と、前記室外機の空気排出口を外部に導通させる開口部を有し、前記室外機の側板に対向する側面に切欠スリットを複数形成すると共に、当該切欠スリットの開口内に水滴導入の案内片を配設し、当該案内片からの水滴を前記貯水手段に導入する鋼板製の側壁部と、を備える。
【考案の効果】
【０００７】
この考案に係る保護カバーにおいては、従来の空調装置の室外機の通風遮光ネット装置と比較して強度が高いうえに、空調装置の室外機周囲の湿度を高め、空調装置（室外機）の熱効率の向上（消費電力の抑制）を図ることができる。
【図面の簡単な説明】
【０００８】
【図１】（ａ）は第１の実施形態に係る保護カバーの概略構成を示す斜視図であり、（ｂ）は図１（ａ）に示す保護カバーを室外機に設置した状態を示す正面図である。
【図２】（ａ）は図１（ｂ）に示す保護カバーの矢視Ａ−Ａ’線の端面図であり、（ｂ）は案内片を説明するための説明図であり、（ｃ）は図２（ａ）に示す切欠スリット周辺を示す部分拡大図である。
【図３】（ａ）は貯水手段の概略構成を示す平面図であり、（ｂ）は室外機の概略構成を説明するための斜視図である。
【図４】（ａ）は第１の実施形態に係る他の保護カバーを室外機に設置した状態を示す平面図であり、（ｂ）は第１の実施形態に係る他の保護カバーを室外機に設置した状態を示す正面図であり、（ｃ）は他の案内片を説明するための平面図であり、（ｄ）はさらに他の案内片を説明するための平面図である。
【図５】（ａ）は第１の実施形態に係る他の保護カバーを内部構造を説明するための側面図であり、（ｂ）は第１の実施形態に係る他の保護カバーを内部構造を説明するための背面図である。
【考案を実施するための形態】
【０００９】
（本考案の第１の実施形態）
保護カバー１００は、図１に示すように、空調装置（特に、冷房装置）の室外機２００に取り付けられ、室外機２００の側板２００ａ（吸い込み口である空気導入口２０１）が直射日光に晒されることを防止し、空調装置の室内機（不図示）と室外機２００との温度差を小さくして、熱効率を向上（消費電力を抑制）するものである。
なお、本実施形態に係る室外機２００は、吹き出し口である空気排出口２０２を天板２００ｂに有する業務用室外機である。
ここで、空調装置の室外機２００は、熱効率を向上（消費電力を抑制）するために、空気導入口２０１周辺の湿度を６０％以上にすることが好ましい。しかしながら、業務用の室外機２００は、中・高層の建物の屋上に設置される場合があるが、建物の屋上は乾燥しており、室外機２００の空気導入口２０１周辺の湿度が低くなり、一般的な室外機２００自体で湿度を６０％以上にすることは困難である。
このため、本実施形態に係る保護カバー１００は、室外機２００の空気導入口２０１周辺の湿度を高める機構を備えたものである。
【００１０】
保護カバー１００は、図１〜図３に示すように、室外機２００の底板２００ｃ近傍に配設され、当該室外機２００の底板２００ｃ外周を包囲する溝形の貯水手段１０と、室外機２００の空気排出口２０２を外部に導通させる開口部２１を有し、室外機２００の側板２００ａに対向する側面に切欠スリット２２を複数形成すると共に、当該切欠スリット２２の開口内に水滴導入の案内片２３を配設し、当該案内片２３からの水滴を貯水手段１０に導入する鋼板製（例えば、トタン板）の側壁部２０と、を備える。
また、保護カバー１００は、必要に応じて、下端が貯水手段１０の溝内に配設されて貯水手段１０に溜められる水分を吸収し、上端が貯水手段１０の溝外に配設されて水分を発散する加湿手段３０と、貯水手段１０の底面に沿って配設され、保護カバー１００の基礎となるコンクリートブロック４０と、を備える。
【００１１】
本実施形態に係る貯水手段１０は、例えば、図２（ａ）に示すように、幅１０ｃｍ及び深さ２０ｃｍの断面略コの字状であり、図３（ａ）に示すように、外周の平面形状が縦１００ｃｍ及び横１００ｃｍの正方形であり、鋼板を加工して形成した環状の水受けである。
なお、貯水手段１０の外形寸法は、室外機２００の外形（特に、底板２００ｃの大きさ）に依存するものであり、室外機２００の外形に合わせて適宜設定することが好ましい。
例えば、図４及び図５に示すように、２つの空気排出口２０２を備える室外機２００であれば、外周の平面形状が長方形である貯水手段１０が考えられる。
また、貯水手段１０は、図示しないアンカーボルトを介して、コンクリートブロック４０に固定される。
また、貯水手段１０は、雨水や露などの水滴を貯水することにより、保護カバー１００の重量を増加させ、保護カバー１００が強風により飛ばされることを防止することができる。
【００１２】
なお、本実施形態に係る側壁部２０は、図１（ｂ）及び図２（ａ）に示すように、室外機２００の空気排出口２０２から天板２００ｂにかけて外向きに傾斜する上部側壁部２０ａと、室外機２００の天板２００ｂから底板２００ｃにかけて外向きに傾斜する下部側壁部２０ｂと、からなる。
側壁部２０は、上部側壁部２０ａの傾斜角が下部側壁部２０ｂの傾斜角より大きく、下部側壁部２０ｂの内側面と貯水手段１０とが溶接により接合されている。
このように、側壁部２０は、貯水手段１０を介して、コンクリートブロック４０に固定されることにより、コンクリートブロック４０が重りとなり、保護カバー１００が強風により飛ばされることを防止することができる。
【００１３】
また、側壁部２０は、図１（ｂ）に示すように、高さ方向に延在する折り目２４を備えることにより、板状の側壁部２０の強度を向上し、保護カバー１００に支柱を必要とすることなく設置することができる。
また、保護カバー１００は、室外機２００の電源及び冷媒配管などを外部(室内機など）に接続するための開口部（不図示）を側壁部２０の一側面に有している。
【００１４】
また、本実施形態に係る案内片２３は、切込み加工により鋼板に形成される切片であり、下方を支点として内側に湾曲し、上向きに突出している。
このように、案内片２３が上向きに突出していることにより、切欠スリット２２から降り込む雨水や側壁部２０の外側面上を伝って流れ込む水滴を側壁部２０の内側面側に流し、貯水手段１０に水滴を効率よく溜めることができる。また、案内片２３が上向きに突出していることにより、切欠スリット２２から入り込む風を上方に誘導し、開口部２１に伝播させることができ、側壁部２０の天板に突き上げる風力を抑制し、側壁部２０の浮きを防止することができる。
【００１５】
なお、本実施形態に係る案内片２３（切欠スリット２２）は、略半楕円形であるが、この形状に限られるものではなく、例えば、図４（ｃ）に示すように、５０ｍｍ角の正方形であってもよいし、図４（ｄ）に示すように、横長の長方形であってもよい。
また、本実施形態に係る複数の案内片２３（切欠スリット２２）は、正方格子状に配置しているが、図４（ｂ）に示すように、斜方格子状に配置してもよい。
なお、図４及び図５に示す保護カバー１００は、水平方向における隣り合う案内片２３（切欠スリット２２）間の間隔が１６０ｍｍ（８０ｍｍ＋８０ｍｍ）であり、垂直方向における隣り合う案内片２３（切欠スリット２２）間の間隔が１００ｍｍであるが、この間隔に限られるものではない。
【００１６】
また、側壁部２０は、図２に示すように、案内片２３の根元に貫通孔２３ａを備える。この貫通孔２３ａは、案内片２３の先端から根元側に流れる水滴を貯水手段１０側に導くドレン孔となる。
なお、案内片２３は、図２（ｂ）に示すように、先端から根元に延在し、先端及び貫通孔２３ａ間を結ぶ直線状の折り目２３ｂが下方を凸（谷折り）として形成されことにより、案内片２３の先端から根元側に水滴を効率よく導くことができる。
【００１７】
本実施形態に係る加湿手段３０は、貯水手段１０に溜まった水を吸水し、表面から水分を発散する、吸水性及び揮発性を有する素材であり、例えば、スポンジなどの多孔質部材や、帝人株式会社製の高吸水・高吸湿繊維「ベルオアシス（登録商標）」を使用した生地を使用することができる。
なお、加湿手段３０は、貯水手段１０の四隅に配設されるだけでなく、切欠スリット２２を除く側壁部２０の内側面に貼設することにより、側壁部２０の内側面全体から水分を発散させることができ、加湿機能を高めることができる。
【００１８】
つぎに、本実施形態に係る保護カバー１００の作用効果について説明する。
まず、保護カバー１００は、側壁部２０で雨を受けたり側壁部２０表面に結露すると、側壁部２０が傾斜しているため、水滴が側壁部２０の傾斜面に沿って下に落ちていく。
この水滴は、側壁部２０に切欠スリット２２があるため、切欠スリット２２の上端から雫となって落下し、当該切欠スリット２２に連結する案内片２３で受け止められる。
案内片２３で受け止められた水滴は、折り目２３ｂに集まり、折り目２３ｂに沿って貫通孔２３ａに達し、貫通孔２３ａを通って側壁部２０の内側面に沿って下に流れる。
そして、この水滴は、切欠スリット２２の上端から雫となって落下し、当該切欠スリット２２に連結する案内片２３で受け止められる。
水滴は、以下同様に、下方に順次移動して貯水手段１０に達し、貯水手段１０の溝内に溜められることになる。
【００１９】
そして、貯水手段１０に溜められた水は、加湿手段３０により吸い上げられ、空気中に発散されることになる。また、貯水手段１０に溜められた水は、気温が上昇すると、水面から蒸発し、空気中に発散されることになる。
これにより、保護カバー１００内部の室外機２００の空気導入口２０１周辺の湿度を６０％以上にし、空調装置（室外機２００）の熱効率を向上（消費電力を抑制）することができる。
【００２０】
以上のように、本実施形態に係る保護カバー１００は、室外機２００の空気排出口２０２を外部に導通させる開口部２１を有し、室外機２００の側板２００ａに対向する側面に切欠スリット２２を複数形成すると共に、当該切欠スリット２２の開口内に水滴導入の案内片２３を配設し、当該案内片２３からの水滴を貯水手段１０に導入する鋼板製の側壁部２０を備えることにより、空気導入口２０１周辺の湿度を高め、空調装置の熱効率の向上すると共に、切欠スリット２２から吹き込む風を開口部２１から排出させ、強風による保護カバー１００の崩壊を防止することができる。
【符号の説明】
【００２１】
１０    貯水手段
２０    側壁部
２０ａ  上部側壁部
２０ｂ  下部側壁部
２１    開口部
２２    切欠スリット
２３    案内片
２３ａ  貫通孔
２３ｂ，２４  折り目
３０    加湿手段
４０    コンクリートブロック
１００  保護カバー
２００  室外機
２００ａ  側板
２００ｂ  天板
２００ｃ  底板
２０１  空気導入口
２０２  空気排出口
【図１】
0003197622.tif 000003
【図２】
0003197622.tif 000004
【図３】
0003197622.tif 000005
【図４】
0003197622.tif 000006
【図５】
0003197622.tif 000007